【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
フレームと、
該フレームの第１表面に固定された振動板と、
該振動板の表面上に配置された電気回路であって、複数の導電性経路と２つの終端とを含む電気回路と、
該フレームと該振動板とを貫いて延びる一対の終端ラグであって、該一対の終端ラグのそれぞれは、該電気回路の該終端のうちの１つに接触している、一対の終端ラグと
を備えた、動電型スピーカー。
【請求項２】
動電型スピーカーを組み立てる方法であって、
複数の磁石をフレームに取り付ける工程と、
該フレームに振動板を取り付ける工程であって、該振動板は、複数の線形部分を有する導体を含み、該導体は、２つの終端を含む、工程と、
終端アセンブリの一対の終端ラグを該フレーム内の対応する穴を通って延ばし、該終端ラグを該導体の該終端を通って突き抜く工程と、
該導体の該終端に接触するように該終端ラグを圧着する工程と
を包含する、方法。
【請求項３】
フレームと、
該フレームの第１の表面に固定された振動板と、
該振動板の表面に配置された電気回路であって、該電気回路は、複数のアルミニウム製導電経路と２つの終端とを含み、該終端のそれぞれは、銅で積層されている、電気回路と
を備えた、動電型スピーカー。
【請求項４】
フレームと、
該フレームの第１の表面に固定された振動板と、
該振動板の表面に配置された電気回路であって、複数の銅製導電経路と２つの終端とを含む電気回路と
を備えた、動電型スピーカー。
【請求項５】
フレームと、
該フレームの第１の表面に固定された振動板と、
該振動板の表面に配置された電気回路であって、該電気回路は、複数のアルミニウム製導電経路と、該アルミニウム製導電経路上に配置された銅の層とを含む、電気回路と
を備えた、動電型スピーカー。
【請求項６】
薄膜動電型スピーカーとの電気的接点を形成する方法であって、
複数の導電性経路を含む電気回路を薄膜に付与する工程であって、該電気回路は、一対の終端部を含む、工程と、
該薄膜をフレームに取り付ける工程と、
該電気回路の該終端部に一対のリード線をレーザー溶接する工程と
を包含する、方法。
【請求項７】
薄膜動電型スピーカーとの電気的接点を形成する方法であって、
複数の導電性経路を含む電気回路を薄膜に付与する工程であって、該電気回路は、一対の終端部を含む、工程と、
該薄膜をフレーム上に支持する工程と、
該電気回路の該終端部に一対のリード線を超音波溶接する工程と
を包含する、方法。
【請求項８】
前記フレームに取り付けられた複数の磁石をさらに備えている、請求項１に記載の動電型スピーカー。
【請求項９】
前記電気回路は、複数の細長い導電性経路を含み、該導電性経路の１つは、コンデンサにより一対の電気トレースのうちの一方に接続されている、請求項１に記載の動電型スピーカー。
【請求項１０】
前記コンデンサは、前記フレームに取り付けられている、請求項９に記載の動電型スピーカー。
【請求項１１】
前記振動板は、接着剤を用いて前記フレームに固定されている、請求項１に記載の動電型スピーカー。
【請求項１２】
前記電気回路は、アルミニウムから形成されている、請求項１に記載の動電型スピーカー。
【請求項１３】
前記振動板にフォイルを付与し、該フォイルの一部をエッチングして除去することにより、前記コンデンサの線形部分を形成する工程をさらに包含する、請求項２に記載の方法。
【請求項１４】
前記振動板は、接着剤により前記フレームに取り付けられている、請求項２に記載の方法。
【請求項１５】
前記一対の終端ラグは、変形可能な端部を含み、該端部は、前記電気回路の終端に接触するように湾曲している、請求項１に記載の動電型スピーカー。
【請求項１６】
前記一対の終端ラグのそれぞれは、アイレットを含む、請求項１に記載の動電型スピーカー。
【請求項１７】
終端底部材をさらに備え、
該終端底部材は、該終端底部材を通る、前記一対の終端ラグを受容するための一対の開口部を有しており、
該終端底部材は、前記フレームの第２表面に配置されている、請求項１に記載の動電型スピーカー。
【請求項１８】
前記終端底部材は、前記一対の開口部の周囲に延びている一対のボスを含み、
該一対のボスは、前記フレームの開口部に配置されている、請求項１７に記載の動電型スピーカー。
【請求項１９】
該終端底部材を通って延びる止め具であって、前記終端底部材を取り付けるための止め具をさらに備えている、請求項１７に記載の動電型スピーカー。
【請求項２０】
前記変形可能な端部と前記電気回路の終端との間に配置された電気的接続成分をさらに備えている、請求項１５に記載の動電型スピーカー。
【請求項２１】
前記電気的接続成分は、その中に導電性粒子を有するグリース状物質を含む、請求項２０に記載の動電型スピーカー。
【請求項２２】
前記導電性粒子は、ニッケルめっきの酸化アルミニウム砥粒を含む、請求項２１に記載の動電型スピーカー。
【請求項２３】
前記フレームに取り付けられた手段であって、磁場を提供する手段をさらに備えている、請求項１に記載の動電型スピーカー。
【請求項２４】
前記一対の終端ラグは、前記振動板を貫通するための尖鋭な先端部を含む、請求項１に記載の動電型スピーカー。
【請求項２５】
前記終端アセンブリは、前記一対の終端ラグを有する終端底部材を含み、該一対の終端ラグは、該終端底部材に押圧されている、請求項２に記載の方法。
【請求項２６】
前記フレームの対応する穴を通して前記終端アセンブリの止め具を挿入し、それによって前記振動板を貫通する工程と、
前記止め具を圧着することにより、該フレームに該終端アセンブリを固定する工程と
をさらに包含する、請求項２に記載の方法。
【請求項２７】
前記２つの終端に半田付けされたリード線をさらに備えている、請求項３に記載の動電型スピーカー。
【請求項２８】
前記フレームに取り付けられた手段であって、前記複数のアルミニウム製導電経路の周りに磁場を生成する手段をさらに備えている、請求項３に記載の動電型スピーカー。
【請求項２９】
前記振動板は、接着剤により前記フレームに固定されている、請求項３に記載の動電型スピーカー。
【請求項３０】
前記電気回路の２つの終端のみが、銅で積層されている、請求項３に記載の動電型スピーカー。
【請求項３１】
前記振動板は、接着剤により前記フレームに固定されている、請求項４に記載の動電型スピーカー。
【請求項３２】
前記フレームに取り付けられた手段であって、前記銅製導電経路の周りに磁場を生成する手段をさらに備えている、請求項４に記載の動電型スピーカー。
【請求項３３】
前記振動板は、接着剤により前記フレームに固定されている、請求項５に記載の動電型スピーカー。
【請求項３４】
前記フレームに取り付けられた手段であって、前記銅製導電経路の周りに磁場を生成する手段をさらに備えている、請求項５に記載の動電型スピーカー。
【請求項３５】
前記フレームに前記リード線を備え付ける工程をさらに包含する、請求項６に記載の方法。
【請求項３６】
前記振動板は、接着剤により前記フレームに固定されている、請求項６に記載の方法。
【請求項３７】
前記フレームに取り付けられた手段であって、前記銅製導電経路の周りに磁場を生成する手段をさらに備えている、請求項６に記載の方法。
【請求項３８】
前記フレームに前記リード線を備え付ける工程をさらに包含する、請求項７に記載の方法。
【請求項３９】
前記振動板は、接着剤により前記フレームに固定されている、請求項７に記載の方法。
【請求項４０】
前記フレームに取り付けられた手段であって、前記銅製導電経路の周りに磁場を生成する手段をさらに備えている、請求項７に記載の方法。